(57)【要約】照明すべき範囲に応じて適切に光を反射させることができるようにするための照明方法を提供する。光源ランプ１と、光源ランプ１の光を反射させるために内面を反射面とした笠状の反射板２とを有し、反射板２の反射面が、それぞれ傾斜角度の異なる上下３段以上の傾斜部２ａ〜２ｃから形成され、各傾斜部２ａ〜２ｃが複数の平面の組み合わせにより形成されている照明器具による照明方法であって、規定の範囲を集中的に照明する場合は、上下の傾斜部どうしのなす角度α〜γをすべて１８０°未満とし、前記規定の範囲よりも広範囲を照明するために光源ランプの光を拡散させる場合は、上下の傾斜部どうしのなす角度を１８０°未満と１８０°超の組み合わせとする。
2009107193.tif 000002
【特許請求の範囲】
【請求項１】
光源ランプと、光源ランプの光を反射させるために内面を反射面とした笠状の反射板とを有し、前記反射板の反射面が、それぞれ傾斜角度の異なる上下３段以上の傾斜部から形成され、各傾斜部が複数の平面の組み合わせにより形成されている照明器具による照明方法であって、
規定の範囲を集中的に照明する場合は、上下の傾斜部どうしのなす角度をすべて１８０°未満とし、
前記規定の範囲よりも広範囲を照明するために光源ランプの光を拡散させる場合は、上下の傾斜部どうしのなす角度を１８０°未満と１８０°超の組み合わせとする照明方法。
【請求項２】
規定の範囲を集中的に照明する場合は、前記規定の範囲よりも広範囲を照明するために光源ランプの光を拡散させる場合に比べ、傾斜部の上下方向の長さを短くする請求項１に記載の照明方法。
【請求項３】
照明器具の反射板として、横断面形状がいずれの箇所においても正多角形である反射板を使用する請求項１又は請求項２に記載の照明方法。
【発明の詳細な説明】
【技術分野】
【０００１】
本発明は、おもに建屋の天井や屋外に取り付けられて設置される照明器具による照明方法に関し、とくに照明器具の反射板の形状設定方法に関する。
【背景技術】
【０００２】
従来、光源ランプと光源ランプの光を反射させる反射板とを有する照明器具の反射板としては、一般的に半球状のものが使用されている。【０００３】
ただし、半球状の反射板では、光源ランプの光が相互干渉して遠くまで光が到達しないため、机上の電気スタンド等のように数十ｃｍ程度の下方を照明する場合は問題ないが、工場や事業所の天井に設置されるダウンライトのように３〜７ｍ程度あるいはそれ以上の高所から下方の床面を照明しようとすると、照度が不足するという問題がある。また、半球状の反射板では、その内面上部に細かな凹凸を設け、光を乱反射させて照度を向上させるといった改良も見られるが、これによっても高所から下方の床面を照明しようとすると、照度が不足するという問題がある。【０００４】
これに対して、反射板の内面を多面体として、反射される光の到達性を向上させることが考えられたが、単一の傾斜角度を有する１段の多面体では、光の反射方向を制御することができないため、広範囲を均一に照明することはできない。【０００５】
そこで、本願発明者は、先に特許文献１において、内面の反射面をそれぞれ傾斜角度の異なる上下３段以上の傾斜部から形成した反射板を提案した。この多段構造の反射板によれば、光源ランプからの光を多方向に反射させることができ、その反射方向を制御することにより、規定の範囲を照明することが可能となった。【０００６】
しかし、特許文献１には、光源ランプからの光の反射方向の具体的な制御方法については開示されておらず、試行錯誤によって光の反射方向を制御しなければならなかった。
【特許文献１】特開２００５−３４６９６８号公報
【発明の開示】
【発明が解決しようとする課題】
【０００７】
本発明が解決しようとする課題は、上記特許文献１に開示された多段構造の反射板によって光を反射させて照明するにあたり、照明すべき範囲に応じて適切に光を反射させることができるようにするための方法を提供することにある。
【課題を解決するための手段】
【０００８】
本発明は、光源ランプと、光源ランプの光を反射させるために内面を反射面とした笠状の反射板とを有し、前記反射板の反射面が、それぞれ傾斜角度の異なる上下３段以上の傾斜部から形成され、各傾斜部が複数の平面の組み合わせにより形成されている照明器具による照明方法であって、規定の範囲を集中的に照明する場合は、上下の傾斜部どうしのなす角度をすべて１８０°未満とし、前記規定の範囲よりも広範囲を照明するために光源ランプの光を拡散させる場合は、上下の傾斜部どうしのなす角度を１８０°未満と１８０°超の組み合わせとするものである。【０００９】
このように、本発明では、照明すべき範囲の広狭、言い換えれば照明を集中的に行うか拡散（発散）的に行うに応じて、上下の傾斜部どうしのなす角度の組み合わせを変化させることを特徴とする。すなわち、規定の範囲を集中的に照明する場合は、上下の傾斜部どうしのなす角度をすべて１８０°未満とする。このように上下の傾斜部どうしのなす角度をすべて１８０°未満とすると、反射板が全体としてまとまった笠状となり、光の反射方向が揃うので、規定の範囲を集中的に照明することができる。【００１０】
一方、上下の傾斜部どうしのなす角度を１８０°未満と１８０°超の組み合わせとすると、各傾斜部による光の反射方向が大きく異なることになり、反射した光が拡散し、広範囲を照明することができる。【００１１】
また、傾斜部の上下方向の長さを調整することによっても、照明範囲を制御することができる。すなわち、同じ傾斜部であっても上下方向の位置によって光源ランプとなす角度が異なるため、傾斜部の上下方向の長さが長いと広範囲に光が反射される。これに対して、傾斜部の上下方向の長さが短いと、一定方向に光が反射されやすい。したがって、規定の範囲を集中的に照明する場合は、前記規定の範囲よりも広範囲を照明するために光源ランプの光を拡散させる場合に比べ、傾斜部の上下方向の長さを短くする。【００１２】
ここで、本発明において使用する照明器具の反射板は、各傾斜部が複数の平面の組み合わせにより形成されていることから、横断面形状は必然的に多角形となるが、均一に光を反射させるには、いずれの箇所においても正多角形であることが好ましく、正１６角形〜正２４角形であることがより好ましい。
【発明の効果】
【００１３】
本発明によれば、照明すべき範囲に応じて適切に光を反射させることができるようになり、照明すべき範囲に応じて光源ランプの光を無駄なく有効に利用することができる。したがって、従来に比べ、光源ランプの個数削減や小出力化が可能となる。これにより、使用電力量を大幅に削減でき、発熱量が減少して、建屋内の空調効率等を向上させることができ、ひいてはＣＯ２排出量の削減に寄与できる。
【発明を実施するための最良の形態】
【００１４】
以下、本発明をダウンライトに適用した実施例に基づき本発明の実施の形態を説明する。
【実施例１】
【００１５】
図１は、本発明を適用したダウンライトの第１実施例を示す断面図、図２は、図１のダウンライトに使用した反射板を示し、（ａ）は底面図、（ｂ）は正面図である。【００１６】
図１に示すダウンライト１０は、メタルハライドランプ（ＣＤＭ）からなる光源ランプ１と、光源ランプ１の光を反射させるための反射板２と、反射板２を固定する本体部３を備える。【００１７】
光源ランプ１は、反射板２の天板部分に取りけられ、図示しないソケットに装着されて反射板２内に位置している。【００１８】
反射板２は、図２に示すように底面形状（横断面形状）が正１６角形の笠状であり、その内面の反射面は、それぞれ傾斜角度の異なる第１傾斜部２ａ、第２傾斜部２ｂ及び第３傾斜部２ｃからなる上下３段構造である。これらの傾斜部２ａ〜２ｃは、１つの平面を折り曲げることにより形成された複数の平面の組み合わせにより形成されている。そして、第１傾斜部２ａと第２傾斜部２ｂのなす角度α、及びと第２傾斜部２ｂと第３傾斜部２ｃのなす角度βはいずれも１８０°未満に設定されている。これによって、反射板２は、図１及び図２に示すように、全体としてまとまった笠状となり、光の反射方向が揃うので、規定の範囲を集中的に照明することができる。【００１９】
すなわち、本実施例は、光源ランプ１の光を集束させて集中的に照明する用途に適しており、このような用途として、光源ランプ１の光を無駄なく有効に利用することができる。したがって、従来に比べ、光源ランプの個数削減や小出力化が可能となる。【００２０】
なお、本実施例において反射板２の素材はアルミニウムであり、その内面の反射面はアルミニウムの表面にチタン・シリコンをコーティングすることによって鏡面状としている。反射板の素材としてはアルミニウムに限られず、例えば金属板を使用して内面を鏡面加工してもよい。【００２１】
また、本体部３は、その下端部外周に外方に突出したリング状の支持部材３ａを有しており、この支持部材３ａを天井Ｔの裏面に載置することにより、天井Ｔの裏面にダウンライト１０全体が懸架される。
【実施例２】
【００２２】
図３は、本発明を適用したダウンライトの第２実施例を示す断面図、図４は、図３のダウンライトに使用した反射板を示し、（ａ）は底面図、（ｂ）は正面図である。図３及び図４において第１実施例と同一又は対応する構成には同一の符号を付し、その説明を省略する。【００２３】
本実施例は、反射板２として、その内面の反射面が、それぞれ傾斜角度の異なる第１傾斜部２ａ、第２傾斜部２ｂ、第３傾斜部２ｃ及び第４傾斜部２ｄからなる上下４段構造のもの用いたものである。そして、第１傾斜部２ａと第２傾斜部２ｂのなす角度αは１８０°未満、第２傾斜部２ｂと第３傾斜部２ｃのなす角度βは１８０°超、第３傾斜部２ｃと第４傾斜部２ｄのなす角度γは１８０°未満に設定されている。【００２４】
このように、上下の傾斜部どうしのなす角度を１８０°未満と１８０°超の組み合わせとすると、各傾斜部による光の反射方向が大きく異なることになり、すべてを１８０°未満とした第１の実施例に比べ、反射した光が拡散し、広範囲を照明することができる。【００２５】
さらに、本実施例では、第２及び第４傾斜部２ｂ，２ｄの長さを、第１実施例における各傾斜部のいずれよりも長くしている。同じ傾斜部であっても上下方向の位置によって光源ランプ１となす角度が異なるため、傾斜部の上下方向の長さが長いと広範囲に光が反射される。この点からも、本実施例は、広範囲を照明するのに適している。【００２６】
具体的には本実施例は、ダウンライト１０を直線的に複数配置して広範囲を照明するために使用され、第１傾斜部２ａからの反射光でそのダウンライト１０の直下近傍の領域を照明し、第２傾斜部２ｂからの反射光で隣接するダウンライトとの中間領域を照明し、第２傾斜部２ｃからの反射光で隣接するダウンライトの直下近傍の領域を照明し、第４傾斜部２ｄからの反射光で遠方を照明するようにしている。このように、本実施例では、その反射板２が広範囲を照明することができるように設定されていることから、左右に隣接するダウンライトとの相互作用を利用して照明することができ、従来よりもダウンライトの設置間隔を長くしたり、小出力化したりしても従来と同様の照度を得ることが可能となる。
【実施例３】
【００２７】
図５は、本発明を適用したダウンライトの第３実施例を示す断面図、図６は、図５のダウンライトに使用した反射板を示し、（ａ）は底面図、（ｂ）は正面図である。図５及び図６において第１実施例と同一又は対応する構成には同一の符号を付し、その説明を省略する。【００２８】
本実施例は、反射板２として、その内面の反射面が、それぞれ傾斜角度の異なる第１傾斜部２ａ、第２傾斜部２ｂ、第３傾斜部２ｃ、第４傾斜部２ｄ及び第５傾斜部２ｅからなる上下５段構造のもの用いたものである。そして、第１傾斜部２ａと第２傾斜部２ｂのなす角度αは１８０°未満、第２傾斜部２ｂと第３傾斜部２ｃのなす角度βは１８０°超、第３傾斜部２ｃと第４傾斜部２ｄのなす角度γは１８０°未満、第４傾斜部２ｄと第５傾斜部２ｅのなす角度δは１８０°未満に設定されている。【００２９】
本実施例でも、上下の傾斜部どうしのなす角度を１８０°未満と１８０°超の組み合わせとしていることから、すべてを１８０°未満とした第１の実施例に比べ、反射した光が拡散し、広範囲を照明することができる。ただし、本実施例では、上下の傾斜部どうしのなす角度を１８０°近くに設定し、第２実施例よりは狭い範囲を照明するように設定されている。すなわち、本実施例は、第１実施例と第３実施例の中間的な位置付けのものである。【００３０】
以上のように、本発明にしたがって反射板２における上下の傾斜部どうしのなす角度の組み合わせを設定すれば、照明すべき範囲に応じて適切に光を反射させることができるようになり、照明すべき範囲に応じて光源ランプの光を無駄なく有効に利用することができる。
【産業上の利用可能性】
【００３１】
本発明は、天井に取り付けられるダウンライトだけでなく、屋外や、壁面、床面に取り付ける照明器具にも利用可能である。
【図面の簡単な説明】
【００３２】
【図１】本発明を適用したダウンライトの第１実施例を示す断面図である、
【図２】図１のダウンライトに使用した反射板を示し、（ａ）は底面図、（ｂ）は正面図である。
【図３】本発明を適用したダウンライトの第２実施例を示す断面図である、
【図４】図３のダウンライトに使用した反射板を示し、（ａ）は底面図、（ｂ）は正面図である。
【図５】本発明を適用したダウンライトの第３実施例を示す断面図である、
【図６】図５のダウンライトに使用した反射板を示し、（ａ）は底面図、（ｂ）は正面図である。
【符号の説明】
【００３３】
１  光源ランプ
２  反射板
２ａ  第１傾斜部
２ｂ  第２傾斜部
２ｃ  第３傾斜部
２ｄ  第４傾斜部
２ｅ  第５傾斜部
３  本体部
３ａ  支持部材
１０  ダウンライト
【図１】
2009107193.tif 000003
【図２】
2009107193.tif 000004
【図３】
2009107193.tif 000005
【図４】
2009107193.tif 000006
【図５】
2009107193.tif 000007
【図６】
2009107193.tif 000008
【国際調査報告】
2009107193.tif 000009
2009107193.tif 000010